(57)【要約】【課題】  情報装置に設けられた平面ディスプレイに直接使用者が触れることなく、且つ簡易な操作で角度調節を行える平面ディスプレイの角度調節機能を提供する。【解決手段】  情報装置と、平面ディスプレイと、前記平面ディスプレイを動作させるモーターと、前記モーターの動力を前記平面ディスプレイへ伝えるための歯車と、からなる情報装置における平面ディスプレイの角度調節機能であって、前記平面ディスプレイは前記モーターが回転することにより、前記歯車がその動力を平面ディスプレイへ伝え、前記平面ディスプレイが一軸によって回転することで、前記平面ディスプレイが予め定められた角度に調節される。【選択図】    図７
2015161861.tif 000002
【特許請求の範囲】
【請求項１】
平面ディスプレイを備え、前記平面ディスプレイと自情報装置本体のなす角をモーター駆動系により調整する構造を有する情報装置であって、
自情報装置の本体は、前記平面ディスプレイ収納部の端部に前記平面ディスプレイを回転自在に保持する平面ディスプレイ保持構造と、複数の歯車から成る減速歯車ユニットおよび前記減速歯車ユニットを駆動するモーターを収納するモーター系収納構造と、前記平面ディスプレイ収納部の面と前記平面ディスプレイとのなす角が予め定められた上限値に達したか否かを検知する角度検知センサーを収納する構造と、前記モーターを制御するモーター制御回路を有し、
前記平面ディスプレイを含むユニットは、前記平面ディスプレイ保持構造における回転軸と垂直な面を為す円弧情報の駆動歯車と、有し、
前記平面ディスプレイを含むユニットが備える駆動歯車は、前記減速歯車ユニットの前記モーターにより駆動される最終段の歯車と係合し、
前記モーター制御回路は、自情報装置が備える所定のキー操作に応じて前記モーターの回転を制御し、前記角度検知センサーが前記なす角の上限値に達したことを検知した場合に、前記モーターの回転を自動的に停止することを特徴とするモーターによる平面ディスプレイ角度調整機能を有する情報装置。
【請求項２】
請求項１に記載の情報装置であって、
自情報装置が起動していない状態で、自情報装置が備えるキーのいずれかが押下された場合、または自情報装置に所定の信号が着信した場合に、前記なす角が予め設定されている所定の角度になるように前記モーターの回転を制御することを特徴とするモーターによる平面ディスプレイ角度調整機能を有する情報装置。
【請求項３】
請求項１または２に記載の情報装置であって、
自情報装置は通話に係るハンドセットを有し、前記ハンドセットがオフフックされた場合に、前記なす角が予め設定されている所定の角度になるように前記モーターの回転を制御することを特徴とするモーターによる平面ディスプレイ角度調整機能を有する情報装置。
【請求項４】
請求項３に記載の情報装置であって、
前記ハンドセットがオンフックされた場合に、前記なす角が前記平面ディスプレイを自情報装置の本体に収納している所定の状態になるように前記モーターの回転を制御することを特徴とするモーターによる平面ディスプレイ角度調整機能を有する情報装置。
【請求項５】
請求項１に記載の情報装置であって、
自情報装置は、自情報装置の近傍に人が存在しているか否かを検知する人検知センサーをさらに有し、
前記モーター制御回路は、前記人検知センサーが自情報装置の近傍に人が存在していることを検知した場合に、前記所定のキー操作の有無に関わらず、前記なす角が予め設定されている所定の角度になるように前記モーターの回転を制御することを特徴とするモーターによる平面ディスプレイ角度調整機能を有する情報装置。
【請求項６】
請求項５に記載の情報装置であって、
前記モーター制御回路は、前記人検知センサーが自情報装置の近傍に人が存在していることを検知した後に、前記人検知センサーが予め定められた一定時間以上人を検知しない場合に、前記所定のキー操作の有無に関わらず、前記なす角が前記平面ディスプレイを自情報装置の本体に収納している所定の状態になるように前記モーターの回転を制御することを特徴とするモーターによる平面ディスプレイ角度調整機能を有する情報装置。
【発明の詳細な説明】
【技術分野】
【０００１】
本発明は、情報装置における平面ディスプレイの角度調整機能に関する。
【背景技術】
【０００２】
従来の卓上で使用する情報装置は、平面ディスプレイを使用者が所望する角度へ任意に変更できるものがある。（例えば、特許文献１）
【０００３】
上述した平面ディスプレイの角度調整機能では、情報装置の使用者が直接平面ディスプレイに触れて操作する必要があり、平面ディスプレイの表示部を指紋や手脂等で汚してしまう問題があった。
【先行技術文献】
【特許文献】
【０００４】
【特許文献１】特開２００１−３３９４９８号公報
【発明の概要】
【発明が解決しようとする課題】
【０００５】
上記の問題点を解決するために、本発明の目的は情報装置に設けられた平面ディスプレイに直接使用者が触れることなく、且つ簡易な操作で平面ディスプレイの角度調節を行える平面ディスプレイの角度調節機能を提供することにある。
【課題を解決するための手段】
【０００６】
本発明は、平面ディスプレイを備え、前記平面ディスプレイと自情報装置本体のなす角をモーター駆動系により調整する構造を有する情報装置であって、自情報装置の本体は、前記平面ディスプレイ収納部の端部に前記平面ディスプレイを回転自在に保持する平面ディスプレイ保持構造と、複数の歯車から成る減速歯車ユニットおよび前記減速歯車ユニットを駆動するモーターを収納するモーター系収納構造と、前記平面ディスプレイ収納部の面と前記平面ディスプレイとのなす角が予め定められた上限値に達したか否かを検知する角度検知センサーを収納する構造と、前記モーターを制御するモーター制御回路を有し、前記平面ディスプレイを含むユニットは、前記平面ディスプレイ保持構造における回転軸と垂直な面を為す円弧情報の駆動歯車と、有し、前記平面ディスプレイを含むユニットが備える駆動歯車は、前記減速歯車ユニットの前記モーターにより駆動される最終段の歯車と係合し、前記モーター制御回路は、自情報装置が備える所定のキー操作に応じて前記モーターの回転を制御し、前記角度検知センサーが前記なす角の上限値に達したことを検知した場合に、前記モーターの回転を自動的に停止することを特徴とする。
【発明の効果】
【０００７】
本発明によれば、上述の情報装置における平面ディスプレイの角度調節機能よりも、手動操作による汚れの付着を防止することができ、且つ簡易に平面ディスプレイの角度調節を行うことができる平面ディスプレイの角度調節機能を提供できる。
【図面の簡単な説明】
【０００８】
【図１】本発明の情報装置の構成を示す斜視図
【図２】情報装置の筐体内部の構成を示す斜視図
【図３】上ケースの斜視図
【図４】平面ディスプレイの斜視図
【図５】第１の歯車と第２の歯車と第３の歯車とモーターが組み合わされた斜視図
【図６】角度調節機能を説明する平面図
【図７】図６のA-A断面図
【発明を実施するための形態】
【０００９】
図１は、本発明の情報装置の構成を示す斜視図である。本実施例における情報装置の筐体は、上ケース１１と、上ケース１１と係合する下ケース２１と、上ケース１１に回転自在に係合される平面ディスプレイ３１から構成される。ここで、本実施例における情報装置を電話機として説明するが、本装置はこれに限定されないものとする。
【００１０】
図２は、情報装置の筐体内部の構成を示す斜視図である。情報装置内部には、上ケース１１と係合する第１の歯車４１と、上ケース１１および第１の歯車４１と回転自在に係合する第２の歯車５１と、上ケース１１および第２の歯車５１と回転自在に係合する第３の歯車６１と、上ケース１１および第３の歯車６１と係合するモーター７１と、情報装置を動作させる制御基板８１と、モーター７１を制御するモーター制御回路８２と、平面ディスプレイの角度の上限値を検知する角度検知センサー８３が設けられている。
【００１１】
図３は、上ケース１１の斜視図である。上ケース１１は平面ディスプレイ３１と回転自在に係合する第１の孔１２と、第１の歯車４１と回転自在に係合する第２の孔１３と、第２の歯車５１と回転自在に係合する第３の孔１４が設けられている。
【００１２】
図４は、平面ディスプレイ３１の斜視図である。平面ディスプレイ３１は、上ケース１１の第１の孔１２と回転自在に係合する第１の回転軸３２と、第１の歯車４１と係合する円弧形状の駆動歯車３３が設けられている。
【００１３】
図５は、第１の歯車４１と第２の歯車５１と第３の歯車６１とモーター７１が組み合わされた斜視図である。第１の歯車４１は、平面ディスプレイ３１の円弧形状の駆動歯車３３、および第２の歯車５１と係合する第１の歯車の歯４２と、上ケース１１の第２の孔１３と回転自在に係合するための第２の回転軸４３が設けられている。第２の歯車５１は、第１の歯車の歯４２と係合する第２の歯車の小歯５３と、第３の歯車６１と係合する第２の歯車の大歯５２と、上ケース１１の第３の孔１４と回転自在に係合するための第３の回転軸５４が設けられている。第３の歯車６１は、第２の歯車の大歯５２と係合する第３の歯車の歯６２と、モーター７１と係合するための第４の孔６３が設けられている。モーター７１は、第３の歯車６１の第４の孔６３に係合する第４の回転軸７２が設けられている。
【００１４】
図６は、角度調節機能を説明する平面図、図７は図６のA-A断面図である。角度調節は情報装置に設けられた角度調節スイッチ８５の操作によりモーター７１が回転し、モーター７１の動力を第１の歯車４１と第２の歯車５１と第３の歯車６１、そして平面ディスプレイ３１の円弧形状の駆動歯車３３に伝えることにより、平面ディスプレイ３１の角度を調整する。平面ディスプレイ３１を起こす動作は、まずモーター７１が回転し、その動力を受けモーター７１と係合する第３の歯車６１が同時に回転を始める。第３の歯車６１がA方向に回転するため、第３の歯車６１の歯６２と係合している第２の歯車５１の大歯５２に動力が伝わり第２の歯車５１はB方向に回転する。第２の歯車５１が回転することにより、第２の歯車５１の小歯５３も同時にB方向に回転し、動力が第２の歯車５１の小歯５３と係合している第１の歯車４１の歯４２に伝わることで第１の歯車４１はC方向に回転する。第１の歯車４１が回転することで、動力は第１の歯車４１の歯４２と係合する平面ディスプレイ３１の円弧形状の駆動歯車３３に伝わり、平面ディスプレイ３１は第１の回転軸３２を軸としてD方向に回転する。以上によって、平面ディスプレイ３１は情報装置の操作部と平面ディスプレイ表示部からなす角度を増す。また、平面ディスプレイ３１を倒すためには、モーター７１をA方向とは逆に回転させることで、平面ディスプレイ３１の円弧形状の駆動歯車３３と第１の歯車４１と第２の歯車５１と第３の歯車６１も逆回転し、平面ディスプレイ３１は情報装置の操作部と平面ディスプレイ３１の表示部からなる角度を減らす。さらに、前記なす角があらかじめ決定した上下限値を超えて平面ディスプレイを駆動させないために、前記なす角が上下限値に達したことを角度検知センサー８３が検知した場合に、モーター７１の回転を自動的に停止させる。
【００１５】
以上、本実施例の発明について説明した。本実施例では、情報装置の平面ディスプレイ３１を動作させるために、モーター７１の動力を第１の歯車４１と第２の歯車５１と第３の歯車６１を介して伝えることで、平面ディスプレイの角度調節を実現できる。
【００１６】
また、本実施例では、モーター７１の動力を平面ディスプレイ３１まで伝えるために、歯車を第１の歯車４１と第２の歯車５１と第３の歯車６１の３つで表現しているが、これに限定されるものではなく、設ける歯車の数や歯の歯型を変更しても実施可能である。また、平面ディスプレイ３１の角度調節は、情報装置が起動していない状態で、自情報装置が備えるキーのいずれかが押下された場合、または自情報装置に所定の信号が着信した場合に、操作部と平面ディスプレイ表示部からなる角度が予め設定されている所定の角度になるように前記モーター７１の回転を制御しても本実施例と同様の効果を実現できる。
【００１７】
また、本実施例の示す情報装置のように通話に係るハンドセットを有している場合、前記ハンドセットがオフフックされた場合に、前記なす角が予め設定されている所定の角度になるように前記モーターの回転を制御することで本実施例を実現できる。
【００１８】
また、同様に前記ハンドセットがオンフックされた場合に、前記なす角が前記平面ディスプレイを自情報装置の本体に収納している所定の状態になるように前記モーターの回転を制御し平面ディスプレイの角度調節を実施可能である。
【００１９】
また、自情報装置は、自情報装置の近傍に人が存在しているか否かを検知する人検知センサー８４を有し、モーター制御回路８２は、人検知センサー８４が自情報装置の近傍に人が存在していることを検知した場合に、所定のキー操作の有無に関わらず、前記なす角が予め設定されている所定の角度になるように前記モーターの回転を制御することによって、本実施例を実現し、且つ利便性の向上が図れる。
【００２０】
さらに、モーター制御回路８２は、前記人検知センサー８４が自情報装置の近傍に人が存在していることを検知した後に、人検知センサー８４が予め定められた一定時間以上人を検知しない場合に、所定のキー操作の有無に関わらず、前記なす角が平面ディスプレイ３１を自情報装置の本体に収納している所定の状態になるようにモーター７１の回転を制御することで更なる機能の拡張が可能である。
【符号の説明】
【００２１】
１１  上ケース
１２  第１の孔
１３  第２の孔
１４  第３の孔
２１  下ケース
３１  平面ディスプレイ
３２  第１の回転軸
３３  円弧形状の駆動歯車
４１  第１の歯車
４２  第１の歯車の歯
４３  第２の回転軸
５１  第２の歯車
５２  第２の歯車の大歯
５３  第２の歯車の小歯
５４  第３の回転軸
６１  第３の歯車
６２  第３の歯車の歯
６３  第４の孔
７１  モーター
７２  第４の回転軸
８１  情報装置制御基板
８２  モーター制御回路
８３  角度検知センサー
８４  人検知センサー
８５  角度調節スイッチ
【図１】
2015161861.tif 000003
【図２】
2015161861.tif 000004
【図３】
2015161861.tif 000005
【図４】
2015161861.tif 000006
【図５】
2015161861.tif 000007
【図６】
2015161861.tif 000008
【図７】
2015161861.tif 000009